(57)【要約】【課題】水栓本体の上方に配置される上カバーと水栓本体の下方に配置される下カバーとの接続部分が使用者から見えにくい水栓装置を提供する。【解決手段】水栓装置１００は、水栓本体１と、水栓本体１を収容するカバー体６と、を備え、カバー体６は、水栓本体１の上方に配置される上カバー２０と、水栓本体１の下方に配置される下カバー６０と、を備え、上カバー２０は、水栓本体１の上方に配置される上面カバー部２１と、水栓本体１の左右方向の少なくとも一方から突出する操作軸部を挿通可能な凹部２８ａが形成された側面カバー部２８と、下方に向かうにしたがって次第に後方に向かって傾斜する下傾斜部２４を有した前面カバー部２２と、を備え、下傾斜部２４の下端部２４ｂは、下カバー６０と接続されるとともに、凹部２８ａの下方に配置されていることを特徴とする。【選択図】図１１
2019039145.tif 000002
【特許請求の範囲】
【請求項１】
水栓本体と、
該水栓本体を収容するカバー体と、を備え、
該カバー体は、
前記水栓本体の上方に配置される上カバーと、
前記水栓本体の下方に配置される下カバーと、を備え、
前記上カバーは、
前記水栓本体の上方に配置される上面カバー部と、
前記水栓本体の左右方向の少なくとも一方から突出する操作軸部を挿通可能な凹部が形成された側面カバー部と、
下方に向かうにしたがって次第に後方に向かって傾斜する下傾斜部を有した前面カバー部と、を備え、
前記下傾斜部の下端部は、前記下カバーと接続されるとともに、前記凹部の下方に配置されていることを特徴とする水栓装置。
【請求項２】
前記凹部は、前記側面カバー部の下端部から前方且つ上方に向かって凹む請求項１に記載の水栓装置。
【請求項３】
前記側面カバー部は、前記カバー体の上下方向の略中間位置で、前記下カバーに接続されている請求項１または２に記載の水栓装置。
【請求項４】
前記前面カバー部は、左右方向を軸線方向とし、該軸線方向に直交する断面が略円弧状に形成されている請求項１から３のいずれか一項に記載の水栓装置。
【請求項５】
前記操作軸部に設けられ、湯水の状態を調整可能な操作ハンドルを備え、
前記側面カバー部の前記凹部の端部と前記下カバーとの接続部分は、左右方向から見て前記操作ハンドルに重なっている請求項１から４のいずれか一項に記載の水栓装置。
【発明の詳細な説明】
【技術分野】
【０００１】
本発明は、浴室等に設置される水栓装置に関する。
【背景技術】
【０００２】
従来から、浴室等の壁やカウンターには、カランとシャワーとの切り替えや、流量調整や温度調整が可能な水栓装置が設置されている。例えば、内部に弁部やその他の水栓機構部を内蔵させた水栓本体と、水栓本体を覆うカバーと、を備えた水栓装置が提案されている。この水栓装置では、水栓本体が金属の鋳物で形成され、カバーが樹脂で形成されていることが多い。樹脂で形成されたカバーは、カバーの種類を変更することで様々な外観のデザインを提供することができる。
【０００３】
上記の水栓装置のカバーとして、水栓本体の上方から前方（使用者側）にわたって配置される上カバーと、水栓本体の下方に配置される下カバーと、水栓本体と壁との間に配置される隙間カバーと、を備えたものが提案されている（下記特許文献１参照）。
【先行技術文献】
【特許文献】
【０００４】
【特許文献１】特開２０１３−１８１３０１号公報
【発明の概要】
【発明が解決しようとする課題】
【０００５】
しかしながら、上記の特許文献１に記載の水栓装置では、水栓装置の前方で操作する使用者が、しゃがんだり腰を屈めたりして目線を下げると、下カバーの前部と上カバーの前部との接続部分を容易に目視できてしまい、この接続部分が見えない方が外観上好ましかった。
【０００６】
そこで、本発明は、上記事情に鑑みてなされたものであり、水栓本体の上方に配置される上カバーと水栓本体の下方に配置される下カバーとの接続部分が使用者から見えにくい水栓装置を提供する。
【課題を解決するための手段】
【０００７】
上記目的を達成するために、本発明は以下の手段を採用している。
すなわち、本発明に係る水栓装置は、水栓本体と、該水栓本体を収容するカバー体と、を備え、該カバー体は、前記水栓本体の上方に配置される上カバーと、前記水栓本体の下方に配置される下カバーと、を備え、前記上カバーは、前記水栓本体の上方に配置される上面カバー部と、前記水栓本体の左右方向の少なくとも一方から突出する操作軸部を挿通可能な凹部が形成された側面カバー部と、下方に向かうにしたがって次第に後方に向かって傾斜する下傾斜部を有した前面カバー部と、を備え、前記下傾斜部の下端部は、前記下カバーと接続されるとともに、前記凹部よりも下方に配置されていることを特徴とする。
【０００８】
このように構成された水栓装置では、上カバーは水栓本体の上方に配置され、下カバーは水栓本体の下方に配置される。上カバーの側面カバー部には、水栓本体の左右方向の少なくとも一方から突出する操作軸部を挿通可能な凹部が形成されている。上カバーの下傾斜部は、下方に向かうにしたがって次第に後方に向かって傾斜している。下カバーとの接続部分である下傾斜部の下端部は、側面カバー部の凹部の下方に配置されるように、水栓本体の下方にまで回り込んでいる。よって、上カバーと下カバーとの接続部分が、水栓装置の前方に位置する使用者から見えにくい。
【０００９】
また、本発明に係る水栓装置では、前記凹部は、前記側面カバー部の下端部から前方且つ上方に向かって凹むことが好ましい。
【００１０】
このように構成された水栓装置では、側面カバー部には、下端部から前方且つ上方に向かって凹む凹部が形成されている。よって、水栓本体の前方且つ上方から、上カバーを後方且つ下方に移動させて、凹部に水栓本体から左右側方に突出する操作軸部を配置することができる。さらに、下方に向かうにしたがって次第に後方に向かって傾斜する下傾斜部があっても、凹部に操作軸部をスムーズに配置することができる。
【００１１】
また、本発明に係る水栓装置では、前記側面カバー部は、前記カバー体の上下方向の略中間位置で、前記下カバーに接続されていてもよい。
【００１２】
このように構成された水栓装置では、側面カバー部はカバー体の上下方向の略中間位置で下カバーに接続されているため、水栓本体に対して上カバーを設置しやすいとともに、且つ意匠性を良好とすることができる。
【００１３】
また、本発明に係る水栓装置では、前記前面カバー部は、左右方向を軸線方向とし、該軸線方向に直交する断面が略円弧状に形成されていてもよい。
【００１４】
このように構成された水栓装置では、前面カバー部は左右方向を軸線方向とし、軸線方向に直交する断面が略円弧状に形成されているため、外面を滑らかな曲面として、外観を向上させることができる。また、下傾斜部が左右方向を軸線方向として径方向に膨らむように形成されているため、使用者側から見ると、下カバーと上カバーとの接続部分及び下カバーが、下傾斜部に隠れて見えにくい。
【００１５】
また、本発明に係る水栓装置は、前記操作軸部に設けられ、湯水の状態を調整可能な操作ハンドルを備え、前記側面カバー部の前記凹部の端部と前記下カバーとの接続部分は、左右方向から見て前記操作ハンドルに重なっていてもよい。
【００１６】
このように構成された水栓装置では、側面カバー部の凹部の端部と下カバーとの接続部分は、左右方向から見て操作軸部に設けられた操作ハンドルに重なっている。よって、左右方向から見ると、上カバーと下カバーとの接続部分は操作ハンドルに重なって見えないため、接続部分が露出することがなく、外観をより向上させることができる。
【発明の効果】
【００１７】
本発明に係る水栓装置によれば、水栓本体の上方に配置される上カバーと水栓本体の下方に配置される下カバーとの接続部分が使用者から見えにくい。
【図面の簡単な説明】
【００１８】
【図１】本発明の一実施形態に係る水栓装置を示す斜視図である。
【図２】本発明の一実施形態に係る水栓装置を示す側面図である。
【図３】本発明の一実施形態に係る水栓装置の分解斜視図である。
【図４】本発明の一実施形態に係る水栓装置の水栓本体の平面図である。
【図５】本発明の一実施形態に係る水栓装置のカバー体の斜視図である。
【図６】本発明の一実施形態に係る水栓装置の上カバーを下方且つ後方から見た斜視図である。
【図７】本発明の一実施形態に係る水栓装置の下カバーを上方且つ前方から見た斜視図である。
【図８】図１のＡ−Ａ線断面図である。
【図９】図１のＢ−Ｂ線断面図である。
【図１０】図９のＣ部拡大図である。
【図１１】図１のＤ−Ｄ線断面図である。
【図１２】本発明の一実施形態に係る水栓装置の上カバーを水栓本体に装着する様子を示す図である。
【発明を実施するための形態】
【００１９】
以下、本発明の一実施形態に係る水栓装置について、図面を用いて説明する。
図１は、本発明の一実施形態に係る水栓装置を示す斜視図である。図２は、本発明の一実施形態に係る水栓装置を示す側面図である。図３は、本発明の一実施形態に係る水栓装置の分解斜視図である。なお、図３において、水栓装置の下カバーの図示を省略している。
図１から図３に示すように、水栓装置１００は、水栓本体１と、水側クランク脚２及び湯側クランク脚３と、温調（温度調節）ハンドル（操作ハンドル）４及び切替ハンドル（操作ハンドル）５と、カバー体６と、を有している。本実施形態に係る水栓装置１００は浴室の壁Ｗ（図２）に設置されるものであるが、浴室のカウンターや洗面室等にも設置可能である。
なお、以下の説明において、使用者側（壁Ｗ側と反対側）から水栓装置１００を見て左側を左側と称し、右側を右側と称し、これらを結ぶ方向を左右方向と称する。また、水栓装置１００における使用者側を前側と称し、その反対側（壁Ｗ側）を後側と称し、これらを結ぶ方向を前後方向と称する。
【００２０】
図３に示すように、水栓本体１は、本体部１１と、水側接続管１２、湯側接続管１３、シャワーエルボ接続管１４及びカラン側吐水口１５と、を有している。
【００２１】
本体部１１には、不図示の温調弁ユニットや切換え弁ユニット等の機構部が内蔵されている。本体部１１の前部は、左右方向を軸線方向とする筒状に湾曲形成されている。本体部１１の左右両端部には、それぞれ左右側方に突出する操作軸部１１ｓが設けられている。
【００２２】
図４は、水栓本体１の平面図である。なお、図４において、水栓本体１の左右両端部近傍の図示を省略している。
図３及び図４に示すように、水側接続管１２は、本体部１１の後部且つ右側から、後方に突出している。水側接続管１２は、前後方向を軸線方向とする円筒状をなしている。水側接続管１２の先端部（上流側）には、雄ねじ１２ｓが形成されている。
【００２３】
湯側接続管１３は、本体部１１の後部且つ左側から、後方に突出している。湯側接続管１３は、前後方向を軸線方向とする円筒状をなしている。湯側接続管１３の先端部（上流側）には、雄ねじ１３ｓが形成されている。
【００２４】
シャワーエルボ接続管１４は、本体部１１の後部且つ左右方向の中央に設けられている。シャワーエルボ接続管１４は、円筒状をなし、本体部１１から後方に突出した後、先端部（下流側）を下方に向けている。シャワーエルボ接続管１４の先端部には、シャワーエルボ（不図示）が接続可能とされ、シャワーエルボにシャワーホース（不図示）が接続されている。
【００２５】
図３に示すように、カラン側吐水口１５は、本体部１１の前部且つ下部から、下方に突出している。カラン側吐水口１５は、上下方向を軸線方向とする円筒状をなしている。カラン側吐水口１５の先端部（下流側）には、雄ねじ１５ｓが形成されている。カラン側吐水口１５の雄ねじ１５ｓには、カランキャップ１６が螺合されている。
【００２６】
図４に示すように、本実施形態では、本体部１１、水側接続管１２、湯側接続管１３、シャワーエルボ接続管１４及びカラン側吐水口１５（図３参照）は、金属の鋳物で構成されている。本体部１１の外面の大部分は機械加工及び研磨、メッキ処理されておらず、鋳肌そのままとされている。水側接続管１２の基端部側の外面１２ｂ、湯側接続管１３の基端部側の外面１３ｂ及びシャワーエルボ接続管１４の基端部側の外面１４ｂ（外面１２ｂ，１３ｂ，１４ｂを図４でドットによるハッチングで示している）は、機械加工がされた円筒状の円滑面とされている。
【００２７】
図３及び図４に示すように、水側接続管１２は、管状をなす水側クランク脚２と袋ナット２ｎにより接続されている。湯側接続管１３は、管状をなす湯側クランク脚３と袋ナット３ｎにより接続されている。
【００２８】
温調ハンドル４は、本体部１１の左端部から左方に突出している操作軸部１１ｓに設けられている。温調ハンドル４を回転操作することにより、シャワーエルボ接続管１４にシャワーエルボを介して接続されたシャワーホースに設けられたシャワーヘッド（不図示）及びカラン側吐水口１５から吐出する吐水の温度調節を行うことができる。
【００２９】
切替ハンドル５は、本体部１１の右端部から右方に突出している操作軸部１１ｓに設けられている。切替ハンドル５を回転操作することにより、シャワーエルボ接続管１４にシャワーエルボを介して接続されたシャワーホースに設けられたシャワーヘッド（不図示）からの吐水とカラン側吐水口１５からの吐水との切替えを行うとともに、シャワーエルボ接続管１４及びカラン側吐水口１５から吐出する吐水の流量調節及び止水を行うことができる。
【００３０】
次に、カバー体６の構成について詳細に説明する。
図５は、カバー体６の斜視図である。図６は、上カバー２０を下方且つ後方から見た斜視図である。図７は、下カバー６０を上方且つ前方から見た斜視図である。
図５から図７に示すように、カバー体６は、上カバー２０と、下カバー６０と、隙間カバー８０と、を有している。カバー体６は、上カバー２０と下カバー６０と隙間カバー８０とが組み付けられて構成されている。
【００３１】
図５及び図６に示すように、上カバー２０は、上面カバー部２１と、前面カバー部２２と、上側面カバー部（側面カバー部）２８と、を有している。上面カバー部２１、前面カバー部２２及び上側面カバー部２８は、一体として形成されている。
【００３２】
図８は、図１のＡ−Ａ線断面図である。
図２及び図８に示すように、上面カバー部２１は、水栓本体１、水側クランク脚２（図３参照。以下同じ。）及び湯側クランク脚３（図３参照。以下同じ。）の上方に配置されている。上面カバー部２１の上面は、略平面状に形成されている。図８に示すように、上面カバー部２１は、前方に向かうにしたがってわずかに下方に向かうように傾斜して配置されている。
【００３３】
図５及び図６に示すように、前面カバー部２２は、上面カバー部２１の前端部から湾曲形成されている。図８に示すように、前面カバー部２２は、水栓本体１の前方に配置されている。
【００３４】
前面カバー部２２の上部は、下方に向かうにしたがってしだいに前方に向かって傾斜する形状をなす上湾曲部２３を有している。
【００３５】
図９は、図１のＢ−Ｂ線断面図である。
図６及び図９に示すように、前面カバー部２２の下部は、左右両側部において、上湾曲部２３の下部に連続して、下方に向かうにしたがって次第に後方に向かう形状をなす下湾曲部（下傾斜部）２４を有している。上湾曲部２３及び下湾曲部２４は、左右方向を軸線方向とし、軸線方向に直交する断面が略円弧状に形成されている。換言すると、上湾曲部２３及び下湾曲部２４は、径方向外側に膨らむ形状をなしている。
【００３６】
図６及び図８に示すように、前面カバー部２２の下部は、左右方向の略中央において、上湾曲部２３の下部に連続して、下方に延びる形状をなす下向き部２５を有している。下向き部２５は、左右方向の中央が最も前方に突出するように形成され、左右両端部が下湾曲部２４に接続されている。つまり、前面カバー部２２の下部は、左右方向の中央部（下向き部２５）が左右両側部（下湾曲部２４）よりも前方に突出した形状をなしている。
【００３７】
図１、図３及び図６に示すように、上側面カバー部２８は、上面カバー部２１の左右両端部から下方に延びている。上側面カバー部２８は、水栓本体１の左右側方に配置されている。
【００３８】
図５に示すように、上側面カバー部２８の前部において、下端部には前方且つ上方に向かって凹む凹部２８ａが設けられている。凹部２８ａは、略半円形状をなしている。
【００３９】
下湾曲部２４が下方に向かうにしたがって次第に後方に向かう形状をなすとともに、凹部２８ａ前方且つ上方に向かって凹む円弧状に形成されているため、下湾曲部２４の下端部２４ｂは凹部２８ａの下方に配置されている（図１１参照）。換言すると、下湾曲部２４の下端部２４ｂは、凹部２８ａの最上端部２８ｕよりも下方且つ最前端部２８ｆよりも後方に配置されている。
【００４０】
図６に示すように、上面カバー部２１の下面から前面カバー部２２の上湾曲部２３の後面にわたって、下方に突出する縦リブ３１，３２が設けられている。縦リブ３１，３２は、前後方向に延びている。縦リブ３１，３２は左右方向に離間して複数設けられている。
【００４１】
縦リブ３１は、左右方向の略中央に２箇所配置されている。縦リブ３１は、上面カバー部２１の前部から前面カバー部２２の上湾曲部２３にわたって設けられた前リブ部３１ａと、前リブ部３１ａの後端部から後方に延びる後リブ部３１ｂと、を有している。前リブ部３１ａの突出高さ（上面カバー部２１の下面及び上湾曲部２３の後面から前リブ部３１ａの先端部までの高さ）は、後リブ部３１ｂの突出高さ（上面カバー部２１の下面から後リブ部３１ｂの先端部までの高さ）よりも高い。
【００４２】
縦リブ３２は、左右両側にそれぞれ配置されている。縦リブ３２は、上面カバー部２１の前部から前面カバー部２２の上湾曲部２３にわたって設けられた前リブ部３２ａを有している。縦リブ３２の前リブ部３２ａの高さは、縦リブ３１の前リブ部３１ａの高さと略同一である。
【００４３】
上面カバー部２１の下面には、下方に突出する横リブ３５，３６が設けられている。横リブ３５，３６は、左右方向に延びている。
【００４４】
横リブ３５は、前後方向の略中央に設けられている。横リブ３５の左右両端部は、後述する固定筒部４８近傍まで延びている。
【００４５】
横リブ３６は、横リブ３５よりも前方に設けられている。横リブ３６は、後述する固定筒部４８と折曲壁部５２との間に設けられている（図６では、上面カバー部２１の左側に設けられた横リブ３６のみ示されているが、右側にも横リブ３６が同様に設けられている）。
【００４６】
上面カバー部２１の下面には、下方に突出する当接リブ４０が設けられている。当接リブ４０は、横リブ３５よりも後方に設けられている。当接リブ４０は、上面カバー部２１の左右方向の中央に設けられている。
【００４７】
当接リブ４０は、左右方向に沿って配置された前壁部４１と、前壁部４１の左右方向の両端部からそれぞれ後方に延びる側壁部４２と、を有している。
【００４８】
前壁部４１は、板状に形成され、厚さ方向を前後方向に向けて配置されている。前壁部４１は、前方から見て略矩形状をなしている。前壁部４１の下端部には、上方に向かって凹む湾曲凹部４３が形成されている。
【００４９】
湾曲凹部４３は、シャワーエルボ接続管１４の基端部側の外面１４ｂ（図３及び図４参照）と対応した形状をなしている。図８に示すように、当接リブ４０の前壁部４１の湾曲凹部４３は、シャワーエルボ接続管１４の基端部側の外面１４ｂに当接可能である。本実施形態では、当接リブ４０の前壁部４１の湾曲凹部４３は、シャワーエルボ接続管１４の基端部側の外面１４ｂと若干の隙間を有して配置されている。つまり、当接リブ４０の前壁部４１の湾曲凹部４３とシャワーエルボ接続管１４の基端部側の外面１４ｂとの間の隙間は、他のリブ（縦リブ３１，３２、横リブ３５，３６）と水栓本体１との間の隙間よりも小さい。
なお、図６に示すように、当接リブ４０の突出高さ（上面カバー部２１の下面から当接リブ４０の先端部４０ｂまでの高さ）Ｈ１は、縦リブ３１，３２の突出高さＨ２，Ｈ３及び横リブ３５，３６の突出高さＨ４，Ｈ５よりも高い。縦リブ３１，３２及び横リブ３５，３６は、水栓本体１に当接していない。
【００５０】
図６に示すように、各側壁部４２は、板状に形成され、厚さ方向を左右方向に向けて配置されている。側壁部４２は、左右方向から見て略三角形状をなしている。側壁部４２は、上方に向かうにしたがってしだいに前後方向の幅が広くなるように形成されている。
【００５１】
前面カバー部２２の下向き部２５の後面には、後方に突出する本体連結部４５が設けられている。本体連結部４５は、上カバー２０の前部且つ左右方向の中央に設けられている。本体連結部４５は、前面カバー部２２の下湾曲部２４の下端部２４ｂ及び下向き部２５の下端部２５ｂよりも上方に配置されている。
【００５２】
本体連結部４５は、略水平面に沿って配置された台座部４６と、台座部４６の左右方向の両端部からそれぞれ上方に延びる側壁部４７と、を有している。
【００５３】
台座部４６は、板状に形成され、厚さ方向を上下方向に向けて配置されている。台座部４６には、上方から見て略矩形状をなしている。台座部４６には、上下方向に貫通する取付孔４６ｈが形成されている。
【００５４】
側壁部４７は、板状に形成され、厚さ方向を左右方向に向けて配置されている。側壁部４７は、左右方向から見て略三角形状をなしている。側壁部４７は、上方に向かうにしたがってしだいに前後方向の幅が短くなるように形成されている。
【００５５】
図３及び図８に示すように、本体連結部４５の台座部４６は、水栓本体１の前端部に設けられた固定部１１ａの下方に配置されている。螺子４６ｚが、台座部４６の取付孔４６ｈに挿通され、水栓本体１の固定部１１ａに形成された取付孔１１ｈに螺合されている。
【００５６】
図６に示すように、上面カバー部２１の下面には、下方に向かって突出する固定筒部４８が設けられている。固定筒部４８は、左右方向に離間して一対設けられている。固定筒部４８は、上下方向を軸線方向とする円筒状に形成され、内部に雌ねじ金具４８ｓが設けられている。後述する螺子６７ｚが、下カバー６０及び水栓本体１に挿通され、固定筒部４８の雌ねじ金具４８ｓに螺合されている（図９参照）。
【００５７】
前面カバー部２２の下端部（下湾曲部２４の下端部２４ｂ及び下向き部２５の下端部２５ｂ）には、後方に向かって突出する後向き縁部４９が設けられている。後向き縁部４９は、上面カバー部２１の左右方向に離間して４箇所に設けられている。
【００５８】
各上側面カバー部２８の左右方向の内側の面（水栓本体１側を向く面）には、左右方向の内側に向かって突出する係止壁部５１が設けられている。係止壁部５１は、板状に形成され、厚さ方向を前後方向に向けて配置されている。
【００５９】
係止壁部５１の左右方向の内側の端部には、後方に延びる折曲壁部５２が設けられている。折曲壁部５２は、板状に形成され、厚さ方向を左右方向に向けて配置されている。
【００６０】
上側面カバー部２８の左右方向の内側の面には、左右方向の内側に向かって突出する固定台部５３が設けられている。固定台部５３は、上側面カバー部２８の面から左右方向の内側に向かって突出し上下方向に離間して設けられた３枚の支持板部５３ａと、３枚の支持板部５３ａを上下方向に連結する連結板部５３ｂと、を有している。下側の支持板部５３ａと真ん中の支持板部５３ａとの間には、不図示の雌ねじ金具が設けられている（図６では、左側の上側面カバー部２８に設けられた固定台部５３のみ示されているが、右側の上側面カバー部２８にも固定台部５３が同様に設けられている）。不図示の螺子が後述する下カバー６０及び隙間カバー８０に挿通され、固定台部５３に螺合されている。
【００６１】
図７に示すように、下カバー６０は、下面カバー部６１と、下側面カバー部６２と、を有している。下面カバー部６１及び下側面カバー部６２は、一体として形成されている。
【００６２】
図７に示すように、下面カバー部６１は、略板状に形成されている。下側面カバー部６２は、下面カバー部６１の左右両端部からそれぞれ上方に延びている。図２及び図８に示すように、下面カバー部６１は、水栓本体１の下方に配置されている。下側面カバー部６２は、水栓本体１の左右側方に配置されている。
【００６３】
下側面カバー部６２の左右方向の内側には、左右方向の中央側に向かうにしたがって下方（下面カバー部６１）に向かって傾斜した傾斜部６２ｃが形成されている。これにより、図２に示すように、左右方向から見ると、下カバー６０の傾斜部６２ｃが上カバー２０の上側面カバー部２８よりもセットバックしている（左右方向の内側に配置されている）ため、下カバー６０の露出を抑えつつ、水栓装置１００全体が上下方向に薄く見える。
【００６４】
図７に示すように、下面カバー部６１の前部は、前方に向かうにしたがって次第に上方に向かって傾斜している。下面カバー部６１の左右方向の中央には、前方に延設された前延設部６３が設けられている。前延設部６３は、左右方向の中央が最も前方に突出するように形成されている。
【００６５】
下面カバー部６１の前端部から前延設部６３の前端部にわたって、上方に突出する上向き縁部６４が設けられている。
【００６６】
上向き縁部６４には、上方に突出する突起６５が設けられている。突起６５は、前延設部６３の左右両側に配置されている。
【００６７】
図１０は、図９のＣ部拡大図である。
図１０に示すように、突起６５は、上向き縁部６４の上端部から上方に立設された立設部６５ａと、立設部６５ａの上端部から前方に突出する係合部６５ｂと、を有している。
【００６８】
下カバー６０の突起６５は、上カバー２０の前面カバー部２２の下湾曲部２４の下端部２４ｂに係合可能とされている。下カバー６０の突起６５は、上カバー２０の下湾曲部２４の下端部２４ｂのわずかに上方に配置されている。
【００６９】
図１１は、図１のＤ−Ｄ線断面図である。
図１１に示すように、上カバー２０の前面カバー部２２の下湾曲部２４に設けられた後向き縁部４９は、下カバー６０の上向き縁部６４上に当接配置されている。
【００７０】
図７に示すように、下面カバー部６１の左右方向の中央において、前部には、上下方向に貫通するカラン用開口６１ｈが形成されている。カラン用開口６１ｈには、水栓本体１に設けられたカラン側吐水口１５（図３参照）及びカランキャップ１６（図３参照）が下向きに突出するように配置される。
【００７１】
下面カバー部６１の左右方向の中央において、カラン用開口６１ｈよりも後方には、上下方向に貫通するシャワー用開口６１ｊが形成されている。シャワー用開口６１ｊには、水栓本体１に設けられたシャワーエルボ接続管１４（図３参照）が下向きに突出するように配置される。
【００７２】
下面カバー部６１の上面には、上方に向かって突出する固定筒部６７が設けられている。固定筒部６７は、左右方向に離間して一対設けられている。固定筒部６７は、上下方向を軸線方向とする円筒状に形成され、上端部には上下方向に貫通する取付孔６７ｈが形成されている。図９に示すように、螺子６７ｚが、固定筒部６７の取付孔６７ｈ及び水栓本体１に形成された取付孔１ｈに挿通され、上カバー２０の固定筒部４８の雌ねじ金具４８ｓに螺合されている。
【００７３】
図７に示すように、下面カバー部６１の上面には、固定筒部６７よりも後方且つ左右側方に、上方に向かって突出する固定筒部６８が設けられている。固定筒部６８は、左右方向に離間して一対設けられている。固定筒部６８は、上下方向を軸線方向とする円筒状に形成され、上端部には上下方向に貫通する取付孔６８ｈが形成されている。不図示の螺子が、固定筒部６８の取付孔６８ｈ及び後述する隙間カバー８０に形成された不図示の取付孔に挿通され、上カバー２０の上下の支持板部５３ａ（図６参照）間に設けられた不図示の雌ねじ金具に螺合されている。
【００７４】
図５及び図７に示すように、下面カバー部６１の後端部には、左右両側において、下方に向かって膨らむ湾曲部７１が形成されている。下面カバー部６１において、各湾曲部７１の前方には、前後方向に開口する脚挿通開口７１ｈが形成されている。脚挿通開口７１ｈには、それぞれ水側クランク脚２（図３参照）及び湯側クランク脚３（図３参照）が挿通されている。
【００７５】
図７に示すように、下面カバー部６１には、下側面カバー部６２の左右方向の内側の面に当接して、上方に突出する規制壁部７３が設けられている。規制壁部７３は、前後方向に延びている。規制壁部７３は、板状に形成され、厚さ方向を左右方向に向けて配置されている。
【００７６】
規制壁部７３の前端部には、左右方向に内側に向かって延びる第一折曲壁部７５が設けられている。第一折曲壁部７５は、板状に形成され、厚さ方向を前後方向に向けて配置されている。
【００７７】
第一折曲壁部７５の左右方向の内側の端部には、後方に向かって延びる第二折曲壁部７６が設けられている。第二折曲壁部７６は、板状に形成され、厚さ方向を左右方向に向けて配置されている。
【００７８】
規制壁部７３の前部には、上端部から下方に凹む係止凹部７７が形成されている。図１１に示すように、係止凹部７７には、上カバー２０の左右方向に延びる係止壁部５１が配置されている。これにより、上カバー２０と下カバー６０との前後方向の相対的な移動が規制されている。
【００７９】
図７に示すように、下側面カバー部６２の前部は、前方に向かうにしたがって次第に下方に向かうように形成されている。下側面カバー部６２の前端部は、この前部に連続して、前方に向かうにしたがって次第に上方に向かうように形成されている。このようにして、下側面カバー部６２の前部には凹部６２ａが形成されている。
【００８０】
図５に示すように、上カバー２０の上側面カバー部２８の凹部２８ａと下側面カバー部６２の凹部６２ａとが上下に配置され、全体として左右方向から見て略円形状の開口をなしている。詳細には、上側面カバー部２８の凹部２８ａの後部２８ｄ及び下側面カバー部６２の凹部６２ａの後部６２ｄは、後方に拡径した形状をなしている。これにより、水栓本体１に対して上カバー２０及び下カバー６０が設置しやすい。
【００８１】
図２に示すように、凹部２８ａ及び凹部６２ａには、温調ハンドル４（図１参照）及び切替ハンドル５の基端部である操作軸部１１ｓが対向配置されている。換言すると、温調ハンドル４及び切替ハンドル５は、凹部２８ａ及び凹部６２ａから左右両側方に突出するように設けられている。
【００８２】
図２に示すように、下側面カバー部６２の前端部６２ｆ（図７参照）は、上カバー２０の上側面カバー部２８の下端部２８ｂ（図６参照）と、当接している。左右方向から見ると、下側面カバー部６２の前端部６２ｆと上側面カバー部２８の下端部２８ｂとの当接部分（接続部分）は、温調ハンドル４（及び切替ハンドル５）に重なって配置されている。
【００８３】
また、下側面カバー部６２の凹部６２ａの後端部６２ｅは、上カバー２０の上側面カバー部２８の凹部２８ａの後端部２８ｅと当接している。左右方向から見ると、下側面カバー部６２の凹部６２ａの後端部６２ｅと上側面カバー部２８の凹部２８ａの後端部２８ｅとの当接部分（接続部分）は、温調ハンドル４（及び切替ハンドル５）に重なって配置されている。
【００８４】
下側面カバー部６２と上側面カバー部２８との接続部分ＡのラインＡ１は、カバー体６の上下方向の略中間に位置している。本実施形態では、下側面カバー部６２と上側面カバー部２８との接続部分ＡのラインＡ１は、カバー体６の上下方向の略中央に位置している。接続部分ＡのラインＡ１は、前面カバー部２２の下端部２２ｂを通り水平ラインＡ２よりも上方が好ましい。また、接続部分ＡのラインＡ１は、上側面カバー部２８の凹部２８ａと下側面カバー部６２の凹部６２ａとで形成される略円形状の上下方向の中央Ａ３を通る水平ラインＡ４よりも上方に位置することがより好ましい。
【００８５】
隙間カバー８０は、壁Ｗと上カバー２０及び下カバー６０との間に配置されている。図５及び図１１に示すように、隙間カバー８０は、壁Ｗに沿って配置される後面部８１と、後面部８１から前方に突出し上カバー２０と下カバー６０との上下方向の間に配置される延出部８２と、を有している。
【００８６】
図１１に示すように、延出部８２の前端部には、上下方向に離間して形成された一対の板部８３，８４が設けられている。一対の板部８３，８４の間には、上カバー２０の固定台部５３が挟み込まれている。
【００８７】
次に、上記の水栓装置１００の組み立てについて説明する。
まず、壁Ｗから突出する水側クランク脚２及び湯側クランク脚３と、水栓本体１の水側接続管１２及び湯側接続管１３をそれぞれ袋ナット２ｎ，３ｎで接続する。
【００８８】
上カバー２０に対して隙間カバー８０を後方から移動させて、隙間カバー８０の板部８３，８４間に上カバー２０の固定台部５３を挟み込む。
【００８９】
図１２は、上カバー２０及び隙間カバー８０を水栓本体１に装着する様子を示す図である。
図１２に示すように、隙間カバー８０が設けられた上カバー２０を、前傾に配置して（図１２において二点鎖線で示す状態）、水栓本体１の前方且つ上方から、後方且つ下方に移動させる。上カバー２０の下端部が水栓本体１の下方に位置するところ（図１２において実線で示す状態）まで、上カバー２０を移動させる。水栓本体１の前部が上カバー２０の前部の直下に配置されれば、上カバー２０を前端部を中心にして回転させ、後端部を下方に移動させて、所定の位置に配置する。
【００９０】
図８に示すように、水栓本体１の前端部に設けられた固定部１１ａの下方に、上カバー２０の本体連結部４５の台座部４６を配置する。螺子４６ｚを、台座部４６の取付孔４６ｈに挿通させて、水栓本体１の固定部１１ａに形成された取付孔１１ｈに螺合させる。これにより、上カバー２０は、水栓本体１に装着される。
【００９１】
次に、下カバー６０を、水栓本体１の下方から上方に移動させて、所定の位置に配置する。図１０に示すように、下カバー６０の前端部に設けられた突起６５を、上カバー２０の下端部２４ｂを下方から上方に乗り越えさせて、上カバー２０の下端部２４ｂ上に載せる。この状態で、下カバー６０に外力が作用し、下カバー６０が下方に移動しようとしても、下カバー６０の突起６５は上カバー２０の下端部２４ｂに係合されるため、下カバー６０が上カバー２０から外れて落下するが抑制される。
【００９２】
また、万が一、下カバー６０の突起６５が上カバー２０の下端部２４ｂから外れようとする場合には、突起６５が上カバー２０の下端部２４ｂに対して後方且つ下方の向きに滑るように移動しようとする。しかし、図１１に示すように、上カバー２０の係止壁部５１が下カバー６０の係止凹部７７内に配置されているため、係止壁部５１と係止凹部７７との係合状態では、下カバー６０が鉛直下方にしか移動できない。このため、下カバー６０は、上カバーに対して後方且つ下方に移動できず、下カバー６０が上カバー２０から外れることがない。
【００９３】
次に、図９に示すように、螺子６７ｚを、下カバー６０の固定筒部６７の取付孔６７ｈ及び水栓本体１に設けられた取付孔１ｈに挿通して、上カバー２０の固定筒部４８に設けられた雌ねじ金具４８ｓに螺合させる。また、螺子（不図示）を、下カバー６０の固定筒部６８の取付孔６８ｈ及び隙間カバー８０に設けられた取付孔（不図示）に挿通して、上カバー２０の上下の支持板部５３ａ間に設けられた雌ねじ金具（不図示）に螺合させる。これにより、下カバー６０が、水栓本体１、上カバー２０及び隙間カバー８０に装着される。
【００９４】
このように構成された水栓装置１００では、上カバー２０は水栓本体１の上方に配置され、下カバー６０は水栓本体１の下方に配置される。上カバー２０の上側面カバー部２８には、水栓本体１の左右方向から突出する操作軸部１１ｓを挿通可能な凹部２８ａが形成されている。上カバー２０の下湾曲部２４は、下方に向かうにしたがって次第に後方に向かって傾斜している。下カバー６０との接続部分である下湾曲部２４の下端部２４ｂは、上側面カバー部２８の凹部２８ａの下方に配置されるように、水栓本体１の下方にまで回り込んでいる。よって、上カバー２０と下カバー６０との接続部分が、水栓装置１００の前方に位置する使用者から見えにくい。
【００９５】
また、水栓本体１の左右側方に配置される上側面カバー部２８の前部には、下端部から前方且つ上方に向かって凹む凹部２８ａが形成されている。よって、水栓本体１の前方且つ上方から、上カバー２０を後方且つ下方に移動させて、凹部２８ａに水栓本体１から左右側方に突出する操作軸部１１ｓを配置することができる。さらに、下方に向かうにしたがって次第に後方に向かって傾斜する下湾曲部２４があっても、凹部２８ａに操作軸部１１ｓをスムーズに配置することができる。
【００９６】
また、上側面カバー部２８はカバー体６の上下方向の略中央位置で下側面カバー部６２に接続されているため、水栓本体１に対して上カバー２０を設置しやすいとともに、且つ意匠性を良好とすることができる。
【００９７】
また、上湾曲部２３及び下湾曲部２４は左右方向を軸線方向とし、軸線方向に直交する断面が略円弧状に形成されているため、外面を滑らかな曲面として、外観を向上させることができる。また、下湾曲部２４が左右方向を軸線方向として径方向に膨らむように形成されているため、使用者側から見ると、下カバー６０と上カバー２０との接続部分及び下カバー６０が、下湾曲部２４に隠れて見えにくい。
【００９８】
また、上側面カバー部２８の下端部２８ｂと下カバー６０の前端部６２ｆとの接続部分は、左右方向から見て水栓本体１に設けられた温調ハンドル４（及び切替ハンドル５）に重なっている。また、上側面カバー部２８の凹部２８ａの後端部２８ｅと下側面カバー部６２の凹部６２ａの後端部６２ｅとの接続部分は、左右方向から見て水栓本体１に設けられた温調ハンドル４（及び切替ハンドル５）に重なっている。よって、左右方向から見ると、上カバー２０と下カバー６０との接続部分は温調ハンドル４（及び切替ハンドル５）に重なって見えないため、接続部分が露出することがなく、外観をより向上させることができる。
【００９９】
なお、上述した実施の形態において示した各構成部材の諸形状や組み合わせ等は一例であって、本発明の主旨から逸脱しない範囲において設計要求等に基づき種々変更可能である。
【０１００】
なお、上記に示す実施形態では、上湾曲部２３及び下湾曲部２４は、左右方向を軸線方向とする略円弧状に形成されているが、本発明はこれに限られない。上カバーの下部は、左右方向を軸線方向として径方向に膨らむ形状とすることで、使用者が下カバー６０を視認することを効果的に抑制できるが、平面状に形成されていてもよい。
【０１０１】
また、上記に示す実施形態では、上カバー２０の下端部２８ｂと下カバー６０の前端部６２ｆとの接続部分は、カバー体６の最下端よりもわずかに上方に配置されているが、本発明はこれに限られない。上カバー２０と下カバー６０との接続部分が、カバー体６の最下端に配置されていてもよい。
【０１０２】
また、上記に示す実施形態では、カバー体６の凹部２８ａ，６２ａの前部（下側面カバー部６２の前端部６２ｆ及び上側面カバー部２８の下端部２８ｂ）、及び後部（下側面カバー部６２の凹部６２ａの後端部６２ｅ及び上側面カバー部２８の凹部２８ａの後端部２８ｅ）が、左右方向から見て温調ハンドル４（及び切替ハンドル５）に重なっているが、本発明はこれに限られない。カバー体６の凹部２８ａ，６２ａの前部及び後部が左右方向から見て温調ハンドル４（及び切替ハンドル５）に重なることが好ましいが、いずれか一方のみが重なっていてもよい。
【符号の説明】
【０１０３】
１…水栓本体
２…水側クランク脚
３…湯側クランク脚
４…温調ハンドル（操作ハンドル）
５…切替ハンドル（操作ハンドル）
６…カバー体
１１…本体部
１１ｓ…操作軸部
１２…水側接続管
１３…湯側接続管
１４…シャワーエルボ接続管
１５…カラン側吐水口
１６…カランキャップ
２０…上カバー
２１…上面カバー部
２２…前面カバー部
２３…上湾曲部
２４…下湾曲部（下傾斜部）
２５…下向き部
２８…上側面カバー部（側面カバー部）
２８ａ…凹部
３１，３２…縦リブ
３５，３６…横リブ
４０…当接リブ
４１…前壁部
４２…側壁部
４３…湾曲凹部
４５…本体連結部
４９…後向き縁部
５１…係止壁部
５２…折曲壁部
６０…下カバー
６１…下面カバー部
６２…下側面カバー部
６３…前延設部
６４…上向き縁部
６５…突起
６５ａ…立設部
６５ｂ…係合部
７３…規制壁部
７５…第一折曲壁部
７６…第二折曲壁部
７７…係止凹部
８０…隙間カバー
１００…水栓装置
【図１】
2019039145.tif 000003
【図２】
2019039145.tif 000004
【図３】
2019039145.tif 000005
【図４】
2019039145.tif 000006
【図５】
2019039145.tif 000007
【図６】
2019039145.tif 000008
【図７】
2019039145.tif 000009
【図８】
2019039145.tif 000010
【図９】
2019039145.tif 000011
【図１０】
2019039145.tif 000012
【図１１】
2019039145.tif 000013
【図１２】
2019039145.tif 000014